(57)【要約】      （修正有）【課題】電路の遮断により発生するアークを、リレー内部でアークが消弧されるまで流れる電流による自己誘導磁場の磁束をアークに作用させ、アークの滞留を阻止し、消弧を迅速に行うラッチ式リレーの提供。【解決手段】  継鉄２に生じた磁束の一部を磁石の磁束に加えて制御接点４側に導き、可動接点４２と固定接点４１との間に生じたアークを引き延ばし消弧するようにした。固定接点４１は衝立状本体部Ｔ１Ａを有した第１の固定端子Ｔ１に設けられ、可動接点４２は固定接点４１と接触するため、作動片３の運動を受けて押圧される板バネ８上に設けられ、板バネ８の上端は第２の固定端子Ｔ２に接続されており、第２の固定端子は上方に延出し、板バネ８の長手方向に平行な第１の電路形成部Ｔ２Ａを有し、第１の電路形成部Ｔ１Ａと第１の固定端子Ｔ１の衝立状本体部Ｔ１Ａとの隙間Ｂを、板バネ８と第１の固定端子Ｔ１の衝立状本体部Ｔ１Ａとの隙間Ａよりも小さくした。【選択図】図１
2006196362.tif 000002
【特許請求の範囲】
【請求項１】
通電コイルを巻装し、磁石を内蔵した継鉄と、上記通電コイルへの通電切換えにより、上記継鉄の一端に吸引、解放されたときに、開位置、閉位置との間を運動する作動片と、この作動片の運動を受けた可動接点を固定接点に接離させて電流の開閉を行う制御接点とを備え、上記作動片を開位置に移動させて、上記制御接点を開いて電流を遮断する際には、上記通電コイルによって継鉄に生じた磁束の一部を、上記磁石の磁束に重畳させて漏れ磁束として、上記制御接点側に導くことによって、上記可動接点と固定接点との間に生じたアークを上記板バネの側端に引き延ばし消弧するようにしたラッチ式リレーであって、
上記固定接点は、衝立状本体部を有した第１の固定端子に設けられ、上記可動接点は、上記固定接点と接触するため、上記作動片の運動を受けて押圧される板バネ上に設けられるとともに、該板バネの上端は、第２の固定端子に接続されており、
上記第２の固定端子は上方に延出し、上記板バネの長手方向に平行な電路を形成する第１の電路形成部を有するとともに、該第１の電路形成部と上記第１の固定端子の上記衝立状本体部との隙間を、上記板バネと上記第１の固定端子の上記衝立状本体部との隙間よりも小さくなるように形成していることを特徴とする
ラッチ式リレー。
【請求項２】
請求項１において、
上記第２の固定端子は、上記第１の電路形成部の下部に、該第１の電路形成部と略直交する第２の電路形成部を更に延設した構造にしているラッチ式リレー。
【請求項３】
請求項１または２において、
上記第１の固定端子の上記衝立状本体部は、上記第２の固定端子の上記第１電路形成部と対向する部分に形成される隙間が、上方に向かうにつれて次第に狭くなるように末細状に形成されているラッチ式リレー。
【請求項４】
請求項１〜３において、
上記作動片は、上記制御接点側に突出する延出部を有し、上記通電コイル、上記磁石による合成磁束の一部を、この延出部を通じて上記制御接点側に漏出させる形状になっているラッチ式リレー。
【請求項５】
請求項１〜４のいずれかにおいて、
上記第２の固定端子は、１本の柱状部の上部にアーム部を延出させて逆Ｌ字状に形成されており、上記アーム部には上記板バネの上端を固着させ、該１本の柱状部が上記第１の電路形成部を構成しているラッチ式リレー。
【請求項６】
請求項１〜４のいずれかにおいて、
上記第２の固定端子は、２本の柱状部の上部を横架部で連結したアーチ形状に形成され、上記横架部には上記板バネの上端を固着させ、該２本の柱状部の一方が上記第１の電路形成部を構成しているラッチ式リレー。
【発明の詳細な説明】
【技術分野】
【０００１】
本発明は、制御接点で発生するアーク放電を、磁気によって引き延ばして消弧する構成のラッチ式リレーを改良したものである。
【背景技術】
【０００２】
従来、電路を開閉するリレーでは、制御接点をなす固定接点と可動接点との間の電位差が、制御接点を閉じた状態から開いた瞬間に、遮断される電路に含まれる誘導成分のために急速に上昇し、空気中の絶縁が破れ、そこにアーク放電が発生する。
【０００３】
このアーク放電は、例えばアーク放電加工機等で実用化されていることからもわかるように、放電部分の金属を発熱によって溶融して蒸発させるので、リレーの制御接点は、開く毎に損傷を受けて消耗し、性能を維持できなくなる。このようなアーク放電による制御接点の劣化は、遮断される電流が直流のとき、また高電流のときに激しくなる。
【０００４】
そのようなアーク電流による制御接点の劣化に対応して、リレーの長寿命化を図った技術が、以下の特許文献に開示されている。
【０００５】
すなわち、特許文献１には、磁気回路の途中に磁石を挿入し、この磁石の両端に磁気側路を設け、この磁気側路内に配置した制御接点を流れる電流の方向が、周囲の磁気の方向と直交するようにしたキープリレー（ラッチ式リレー）が開示されており、この構成では、制御接点が開いたとき生じるアーク放電のアークは、磁気を受け、大きく湾曲して長くなるので、放電に必要な電圧が上昇する結果、アーク放電が早く消滅するようになる。
【０００６】
しかし、上記構成では、アーク放電の継続時間は、磁気による消弧作用によって、短縮されるものの、アーク放電により発生したアークは、制御接点から別の場所へ移動しないので、制御接点の消耗の防止効果は充分とはいいがたい。
【０００７】
また、特許文献２には、制御接点の可動接触子と固定接触子のうち、後者にだけ磁性体を設けた構成の開閉器が開示されている。この構成では、アーク放電によって発生したアークは、可動接触子の電流によって生じる磁界を受けて移動するので、制御接点の消耗が軽減される。
【０００８】
しかし、上記構成では、アークは、可動接触子の先端まで移動したあと、そこに停留して、その部分に集中的な損傷を与える。
【特許文献１】実開昭５１−６３１４４号公報
【特許文献２】特開昭６１−２２０２１４号公報
【発明の開示】
【発明が解決しようとする課題】
【０００９】
本発明は、上記問題を解決すべく、リレーを駆動する通電コイルから生じた磁束を有効に利用して、電路を遮断したときに発生するアークを、制御接点から移動させる際に、リレー内部でアークが消弧されるまでに流れる電流によって自己誘導磁場を発生させ、それによる磁束をアークに作用させることで、アークの滞留を阻止して、消弧を迅速に行うようにしたラッチ式リレーを提供することを目的とする。
【課題を解決するための手段】
【００１０】
上記目的を達成するため、請求項１では、通電コイルを巻装し、磁石を内蔵した継鉄と、上記通電コイルへの通電切換えにより、上記継鉄の一端に吸引、解放されたときに、開位置、閉位置との間を運動する作動片と、この作動片の運動を受けた可動接点を固定接点に接離させて電流の開閉を行う制御接点とを備え、上記作動片を開位置に移動させて、上記制御接点を開いて電流を遮断する際には、上記通電コイルによって継鉄に生じた磁束の一部を上記制御接点側に導くことによって、上記可動接点と固定接点との間に生じたアークを、板バネの側端まで引き延ばし消弧するようにしたラッチ式リレーであって、上記固定接点は、衝立状本体部を有した第１の固定端子に設けられ、上記可動接点は、上記固定接点と接触するため、上記作動片の運動を受けて押圧される板バネ上に設けられるとともに、該板バネの上端は、第２の固定端子に接続されており、上記第２の固定端子は上方に延出し、上記板バネの長手方向に平行な電路を形成する第１の電路形成部を有するとともに、該第１の電路形成部と上記第１の固定端子の上記衝立状本体部との隙間を、上記板バネと上記第１の固定端子の上記衝立状本体部との隙間よりも小さくなるように形成していることを特徴とする。
【００１１】
また、請求項２では、第２の固定端子は、第１の電路形成部の下部に、第１の電路形成部と略直交する第２の電路形成部を更に延設した構造にしているラッチ式リレーを提案し、請求項３では、第１の固定端子の衝立状本体部は、第２の固定端子の第１電路形成部と対向する部分に形成される隙間が、上方に向かうにつれて次第に狭くなるように末細状に形成されているラッチ式リレーを提案する。
【００１２】
また、請求項４では、上記作動片を、上記制御接点側に突出する延出部を有した形状に構成することで、制御接点を開離させたときには、上記通電コイル、上記磁石による合成磁束の一部を、上記延出部を通じて制御接点側に漏出させる構造にしている。
【００１３】
また、請求項５、６では、第２の固定端子の形成を特定している。
すなわち、請求項５では、第２の固定端子は、１本の柱状部の上部にアーム部を延出させて逆Ｌ字状に形成されており、アーム部には板バネの上端を固着させ、この１本の柱状部が第１の電路形成部を構成しているラッチ式リレーを提案し、請求項６では、第２の固定端子は、２本の柱状部の上部を横架部で連結したアーチ形状に形成され、横架部には板バネの上端を固着させ、その２本の柱状部の一方が第１の電路形成部を構成しているラッチ式リレー提案している。
【発明の効果】
【００１４】
請求項１〜６に記載の本発明のラッチ式リレーによれば、制御接点を開くときに、通電コイルの通電によって生じた磁束を、ラッチのための磁石による磁束に合流させて制御接点側に導き、これによって、制御接点で発生したアークと交叉する磁束密度を高くすることにより、アークを板バネの側端まで移動させ、さらに第１の固定端子と第２の固定端子との隙間に飛び移らせる間にアークエネルギーを減弱させている。
そして、第１の固定端子と第２の固定端子との隙間に誘導されたアークは、アークが消弧するまで第２の固定端子に流れる電流によって、第２の固定端子の第１の電路形成部に発生する磁束が作用するため、アークは第１、第２の固定端子間で上方に移動する。
そのため、アークが特定部分に留まって、その特定部分を集中的に消耗させるという問題が解消される。
【００１５】
特に請求項２では、第２の固定端子は、第１の電路形成部の下部に、第１の電路形成部と略直交する第２の電路形成部を更に延設した構造にしているので、その直交部の内側では、第１、第２の電路形成部を流れる電流によって生じるそれぞれの磁束が同方向に加わり、アークの移動が一層促進される。
【００１６】
また、請求項３では、第１の固定端子の衝立状本体部は、第２の固定端子の第１電路形成部と対向する部分に形成される隙間が、上方に向かうにつれて次第に狭くなるように末細状に形成されているので、引き延ばしを受けたアークは電界強度が大きくなる、上方へ移動し、アークエネルギーを減弱させて迅速に消弧できる。
【００１７】
更に、請求項４では、リレーの基本構成要素である作動片によって、通電コイルで生じた磁束を、磁石の磁束に重畳させて、制御接点側に漏れ磁束として誘導する磁気回路が構成されるので、リレーの構造を簡易化できる。
【発明を実施するための最良の形態】
【００１８】
図１（ａ）〜（ｃ）は、本発明をラッチ式リレーに適用した場合の構造を示す概略断面図である。ここに、（ａ）はリレーを上方から見たときの概略断面図、（ｂ）はリレーを前方から見たときの概略断面図、（ｃ）はリレーを側方から見たときの概略断面図である。
また、Ｘ―Ｘ，Ｙ―Ｙ，Ｚ―Ｚは、それぞれ側方、上方、前方から見た場合の切断線を示している。
【００１９】
ラッチ式リレーＲは、絶縁ベース１上に構成され、その全体を絶縁ケース５で覆われたブロック体になっている。
【００２０】
絶縁ベース１は、厚みのある絶縁性の高い樹脂から形成され、貫通孔１１と凹部１２とを設けている。この貫通孔１１には、開口端を有した「Ｕ」字形の断面を有した継鉄２が挿入されて固定されており、絶縁ベース１の下方には、第１の固定端子Ｔ１の脚部Ｔ１Ｂ、第２の固定端子Ｔ２の脚部Ｔ２Ｂ、一対のコイル通電端子Ｔ３、Ｔ４を突出させている。
【００２１】
なお、１４は絶縁ベース１に形成された縦長溝であり、可動接点４２を固定接点４１から開離させた際に発生するアークを、後述する漏れ磁束として作用させて引き延ばして、第１、第２の固定端子の本体部Ｔ１Ａ、Ｔ２Ａ間に飛び移らせたときに、その近傍で発生する金属蒸気や炭素粉を落とし込んで絶縁ベース１の絶縁劣化や、第１、第２の固定端子Ｔ１，Ｔ２の短絡を防止している。
【００２２】
継鉄２は、例えば純鉄、または半硬質磁性材料によって形成されており、開口端を有する「Ｕ」字形本体の一方側には、通電コイル６を巻装したボビン７を取付け、他方側には、永久磁石９が図１（ｂ）に示すように、磁極を向けて埋設され、更にその上端には、アクチュエータである作動片３を揺動可能に支持するための２つの突起２１，２１を形成している。
【００２３】
作動片３は、継鉄２と同様に、磁性材料からなる板材であって、継鉄２の開口端に吸引され、あるいはその吸引から解放される側である第１の自由端３１と、後述する制御接点４に押圧力を加える第２の自由端３２との中間部を屈曲させて「く」字形に形成されており、その屈曲部３３の付近に、継鉄２の２つの突起２１，２１を嵌入する切欠き部３５，３５を形成し、作動片３は、この切欠き部３５，３５によって、継鉄２と接触した状態で揺動可能に支持されている。
【００２４】
また、作動片３の第２の自由端３２側は、樹脂などの絶縁素材からなるカード３４によって被覆されており、このカード３４には、制御接点４側に突出させた突起３６と、板バネ８を係止させて、引っ張るための係止部３７を設けている。
【００２５】
制御接点４は、銅などの非磁性体で導電性の良好な素材を板厚に形成した第１の固定端子Ｔ１の衝立状本体部Ｔ１Ａに設けられた固定接点４１と、第１の固定端子Ｔ１と同じ素材で製された第２の固定端子Ｔ２に、上端をリベット止め８１された板バネ８に上に設けられた可動接点４２とで構成される。この固定接点４１、可動接点４２の材質には、Ａｇ／Ｃｕ、ＡｇＣｄＯ／Ｃｕ、ＡｇＮｉ／Ｃｕ、あるいはＡｇＳｎＯ２／Ｃｕ合金などが利用できるが、ここに挙げた例では、先のものほど導電性が高く、後のものほど対溶着性に優れている。
【００２６】
そして、制御接点４は、この板バネ８が、作動片３のカード３４に形成された突起３６の押圧を受けて湾曲することで可動接点４２が、固定接点４１に接触して、第１の固定端子Ｔ１と第２の固定端子Ｔ２との間で電流を通じるようになっている。
【００２７】
すなわち、突起３６は、作動片３の自由端３１が継鉄２の開口端に吸引されて閉位置に移動すれば、板バネ８を押圧して、可動接点４２を固定接点４１に接触させるが、通電コイル６への通電を切換えて、作動片３の自由端３１が、継鉄２の開口端から解放されて開位置に移動すれば、それに応じて板バネ８に対する押圧を解除するので、可動接点４２は板バネ８の弾性力によって固定接点４１から離れる。
【００２８】
なお、作動片３が開位置に移動するときには、板バネ８がカード３４に設けられた係止部３７によって引っ張られるので、固定接点４１と可動接点４２とが溶着しかけた場合でも、可動接点４２を固定接点４１から強制的に分離させて、溶着を防止することができる。
【００２９】
第１の固定端子Ｔ１は、衝立状本体部Ｔ１Ａを備えており、第２の固定端子Ｔ２の柱状部Ｔ２Ａと対向する部分に形成される隙間Ｂが、板バネ８との隙間Ａよりも小さくなるように形成されている（図１（ｂ）、（ｃ）参照）。
【００３０】
一方、第２の固定端子Ｔ２は、１本の柱状部Ｔ２Ａの上部にアーム部Ｔ２Ｃを横方向に延出させて逆Ｌ字状に形成されており、アーム部Ｔ２Ｃには、板バネ８の上端を固着させており、柱状部Ｔ２Ａが、リレーＲによって開閉されるべき電流を流すための電路形成部として機能する。
【００３１】
本発明によるラッチ式リレーＲでは、作動片３の第２の自由端３２側の途中で延出部３８として、制御接点４側に向けて突出させた構造にしているので、通電コイル６、磁石９による合成磁束は、制御接点４側に漏出される。
そのため、この合成磁束で後述するアークの引き延ばしがなされた後は、第２の自由端３２と継鉄２との間で漏れ磁束として作用して、第２の自由端３２を継鉄２に吸引する。
【００３２】
このような構成により、ラッチ式リレーＲでは、電路を開閉するときに、通電コイル６への通電切換えに応じて、作動片３の第１の自由端３１、第２の自由端３２の一方側を継鉄２に吸引させると同時に、他方側を解放することにより、作動片３を開位置と閉位置との間で往復運動させることが可能であり、以下では、その作動片３の開位置と閉位置との間での移動と、静止保持の動作を図に従って説明する。
【００３３】
図２（ａ）、（ｂ）は、ラッチ式リレーＲの基本動作を説明する断面図である。
【００３４】
このラッチ式リレーＲでは、上述のように、通電コイル６への通電切換えにより、作動片３を開位置と閉位置との間で往復運動させるが、図２（ａ）は、作動片３が閉位置にある状態、図２（ｂ）は、作動片３が開位置にある状態を示している。
【００３５】
図２（ａ）に従って説明すると、作動片３が閉位置にあるときは、作動片３を被覆するカード３４に設けられた突起３６は、板バネ８を強く押圧するので、板バネ８に固定された可動接点４２と、第１の固定端子Ｔ１に設けられた固定接点４１とは互いに接触しているが、突起３６も板バネ８の復元力を受けているので、この復元力は、作動片３に伝達され、第１の自由端３１を継鉄２の開口端から引き離すように作用している。
【００３６】
この状態では、磁石９から生じた磁束ΦＭ（実線で示す）は、作動片３の第１の自由端３１が継鉄２の開口端に密着して形成される左側のループ経路と、作動片３の第２の自由端３２と継鉄２との間に大きなギャップを形成している右側のループ経路とに分かれて循環するが、右側のループ経路にはギャップによる大きな磁気抵抗があるために、磁束の多くは、左側のループ経路を通過する。
【００３７】
そのため、通電コイル６の通電が遮断されていれば、作動片３の第１の自由端３１の開口端を継鉄２に吸引させる磁力は、板バネ８の弾性力に打ち勝って、作動片３は閉位置に静止保持される。
この状態で、通電コイル６に電流を通電すると、通電コイル６から生じた磁束Φｍ（破線で示す）は、上記左側のループ経路と、右側のループ経路に分かれて循環するが、左側のループ経路では、磁石９から生じた磁束ΦＭと、通電コイル６から生じた磁束Φｍは、その方向が互いに逆となっているので打ち消し合い、その結果、作動片３の第１の自由端３１は継鉄２の開口端から引き離されて、作動片３が開位置に移動する。
【００３８】
ところが、このとき作動片３の第２の自由端３２と継鉄２との間のギャップ周辺では、通電コイル６によって生じた磁束Φｍは、磁石９から生じた磁束ΦＭと方向が互いに同じとなるので、磁石９から生じた磁束に加わり、その結果、作動片３の第２の自由端３２は継鉄２に吸引され、この状態は通電コイル６の通電が遮断された後も、磁石９から生じた磁束ΦＭによって保持される（開位置にラッチされる）。
【００３９】
一方、作動片３が開位置にあるときは、作動片３を被覆するカード３４に設けられた突起３６は、板バネ８を押圧しておらず、そのため、図２（ｂ）に示すように、板バネ８に固定された可動接点４２と、第１の通電端子Ｔ１に設けた固定接点４１とは、板バネ８の弾性力によって分離される。
【００４０】
この状態では、磁石９から生じた磁束ΦＭは、作動片３の第１の自由端３１と継鉄２の開口端がある左側のループ経路と、作動片３の第２の自由端３２と、継鉄２との間に小さなギャップがある右側のループ経路とに分かれて循環するが、左側のループ経路の磁気抵抗がより大きいので、磁束の多くは、右側のループ経路を通過する。
【００４１】
従って、このとき通電コイル６の通電が遮断されていれば、作動片３の第１の自由端３１を継鉄２の開口端に吸引させる磁力は、作動片３の第２の自由端３２を継鉄２に吸引させる磁力よりも小さいので、作動片３の第２の自由端３２が継鉄２に吸引されて、作動片３は開位置に静止保持される。
【００４２】
この状態で、通電コイル６を上記と逆向きに通電すると、通電コイル６によって生じた磁束Φｍは、上記左側のループ経路と、右側のループ経路に分かれて循環するが、左側のループ経路では、磁石９から生じた磁束ΦＭと、通電コイル６から生じた磁束Φｍとは、その方向が互いに同じとなり加算されるので、作動片３の第１の自由端３１は継鉄２の開口端に吸引され、その結果、作動片３を閉位置に移動させるが、作動片３の第１の自由端３１が継鉄２の開口端に吸引されてしまうと、その後は、通電コイル６の通電を遮断しても、この状態は、磁石９による磁束によって保持される（閉位置にラッチされる）。
【００４３】
ところで、図２（ａ）の状態から、固定接点４１と可動接点４２とが開離した瞬間には、両者の電位差は、回路の誘導成分により急速に上昇するので、その間の空気による絶縁が破れて、アーク放電が発生するが、この場合に生じるアーク電流は、発熱に伴って、固定接点４１、可動接点４２から放出される熱電子、蒸発する金属蒸気などの荷電粒子が主体となっており、固定接点４１、可動接点４２を消耗させる。
【００４４】
しかしながら、このラッチ式リレーＲでは、作動片３の第２の自由端３２側の途中を延出部３８として制御接点４側に向けて突出させた形状としているので、通電コイル６を通電して、制御接点４を開離させている際には、磁石９から生じた磁束ΦＭと、通電コイル６から生じた磁束Φｍとが合流して、固定接点４１、可動接点４２を通過するので、そこに発生したアークと直交して、アークを引き延ばすように作用する。
【００４５】
その際のアーク引き延ばしの方向は、ラッチ式リレーＲが開閉する電流の方向によって決まり、特にこの実施例では、その電流を、第２の固定端子Ｔ２側から第１の固定端子Ｔ１側に流すようにしているので、アークは、第１の固定端子の本体部Ｔ２Ａと板バネ８との間では、柱状部Ｔ２Ａの方向に引き延ばされて、板バネ８の側端まで移動するが、その後は、以下に説明するように、第１、第２の固定端子Ｔ１、Ｔ２間に誘導され、更に自己誘導磁束によって移動されるようになっている。
【００４６】
図３は、図１に示したラッチ式リレーＲの制御接点４の概略部分断面図であり、第１の固定端子Ｔ１の衝立状本体部Ｔ１Ａ、第２の固定端子Ｔ２の電路形成部Ｔ２Ａ、板バネ８のみを示しており、他の要素は、図から省略している。
【００４７】
図３に示した状態は、電路を閉じ、電流を通じていた制御接点４が閉から開に制御された直後のものであって、このとき、磁石９から生じた磁束ΦＭと、通電コイル６から生じた磁束Φｍは、板バネ８の中心線の方向に概ね合流し、アークに対して直交しており、アークの電流は、可動接点４２側から固定接点４１側に向かって流れている。
【００４８】
なお、固定接点４１と可動接点４２とが分離した瞬間に、アークを形成する荷電粒子の速度のベクトルと、周囲の磁束ΦＭ、Φｍのベクトルとは互いに交叉するので、電荷粒子に働くローレンツ力のベクトルは、フレミング左手の法則に従い、電荷粒子（プラス電荷を仮定）の速度ベクトルと磁束のベクトルとの外積として、左回りの円軌道となるように作用する。
【００４９】
また、アークを構成する荷電粒子に対しては、ローレンツ力と同時に、第１の固定端子Ｔ１、第２の固定端子Ｔ２、板バネ８間の電界も作用する。従って、このような条件下では、固定接点４１と可動接点４２との間（イ）で発生したアークは、図の右方向、すなわち第２の固定端子Ｔ２の柱状部Ｔ２Ａ側に引き延ばされ、（ロ）を通り過ぎ、更に、第１の固定端子Ｔ１の衝立状本体部Ｔ１Ａと板バネ８との側端（ハ）まで移動したあと、第１の固定端子Ｔ１の衝立状本体部Ｔ１Ａと第２の固定端子Ｔ２の柱状部Ｔ２Ａとの間に飛び移って、（ニ）まで移動する。
ここで、（ハ）から（ニ）への移動は、第１の固定端子Ｔ１の衝立状本体部Ｔ１Ａと板バネ８との間隙Ａよりも、第１の固定端子Ｔ１の衝立状本体部Ｔ１Ａと第２の固定端子Ｔ２の柱状部Ｔ２Ａとの間隙Ｂを小さくしたために生じたものである。
【００５０】
図４は、自己誘導磁束によりアークを移動させる原理を説明するために、図１（ｃ）から第１の固定端子Ｔ１と、第２の固定端子Ｔ２とを抜き出した図であり、共通の構成要素には同一の参照記号を付して、説明を割愛する。
【００５１】
図４で、アークが（ニ）にあるときには、遮断すべき電路の電流Ｉは、第２の固定端子Ｔ２の柱状部Ｔ２Ａ、アーク、第１の固定端子Ｔ１の本体部Ｔ２Ａという経路で依然として流れており、第１の電路形成部となっている柱状部Ｔ２Ａの周囲に右ねじ方向の磁束ΦＩを発生させる。
【００５２】
そして、この磁界ΦＩは、（ニ）のアークを形成する荷電粒子に対して、上記と同様にローレンツ力を作用させるので、アークは第１の固定端子Ｔ１の衝立状本体部Ｔ１Ａと第２の固定端子Ｔ２の柱状部Ｔ２Ａとの隙間に沿って、上方の（ホ）まで移動し、更に上方へ移動していくが、その過程で、アークエネルギーが減弱し、第１の固定端子Ｔ１、第２の固定端子Ｔ２間の電位差縮小や、磁気によるアーク放電の湾曲、引き延ばしによる経路の抵抗増加（消弧作用）により、放電維持に必要な電圧が不足し、最後には消滅して、電流Ｉも完全に遮断される。
【００５３】
従って、このような構成を特徴とする本発明では、前述したように漏れ磁束の作用で引き延ばされたアークが、第１の固定端子Ｔ１の衝立状本体部Ｔ２Ａ、第２の固定端子Ｔ２の柱状部Ｔ２Ａ、あるいは板バネ８の側端まで移動したあと、そこで停滞し、その停滞した部分を、発熱によって集中的に消耗させることが効果的に防止され、ラッチ式リレーＲの寿命を増大させる。
【００５４】
図５は、第１の固定端子Ｔ１の変形例を示している。
簡単のため、第１の固定端子Ｔ１、第２の固定端子Ｔ２、及び板バネ８のみを示しているが、示されていない他の構成要素は、先の実施例と共通であるので説明を省略する。
この例では、第１の固定端子Ｔ１の衝立状本体部Ｔ１Ａは、第２の固定端子Ｔ２の柱状部Ｔ２Ａと対向する部分に形成される隙間が、上方に向かうにつれて次第に狭くなるように末細状に形成されているので、アークは上記したように自己誘導磁束の作用を受けながら、強電界となる上方へ移動して消弧が一層促進される。
【００５５】
図６は、第２の固定端子Ｔ２の別形状を示す図である。簡単のため、第１の固定端子Ｔ１、第２の固定端子Ｔ２、及び板バネ８のみを示しているが、示されていない他の構成要素は、先の実施例と共通であるので説明を省略する。
この例では、第２の固定端子Ｔ２は、第１の電路形成部となる柱状部Ｔ２Ａの下部から、第２の電路形成部となる柱状部Ｔ２Ｄを横方向に延出させ、柱状部Ｔ２Ａに略直交するようにしている。図中、ΦＩ′は、柱状部Ｔ２Ｄの電流によって生じる磁束を示している。
【００５６】
この構造によれば、柱状部Ｔ２Ａ、Ｔ２Ｄの直交部分の内側では、前述した自己誘導磁束によって第１の電路形成部Ｔ２Ａに生じる磁束ΦＩと、更に第２の電路形成部Ｔ２Ｄにて生じる磁束ΦＩ′とが同一方向に重畳されて、アークに対して加算的に作用するので、アークの上方への移動が一層促進される。
なお、アークが（ニ）から（ホ）に向かって移動し、エネルギーが減弱して最後に消滅する点は、先の実施例と同様である。
【００５７】
図７は、第２の固定端子Ｔ２の更なる別形成を示す図面である。簡単のため、第１の固定端子Ｔ１、第２の固定端子Ｔ２、及び板バネ８のみを示しているが、示されていない他の構成要素は、先の実施例と共通であるので説明を省略する。
【００５８】
この図に示された例では、第２の固定端子Ｔ２は、２本の柱状部Ｔ２Ａ、Ｔ２Ａの上部を横架部Ｔ２Ｃで連結したアーチ形状に形成され、横架部Ｔ２Ｃには、板バネ８の上端８Ａを固着させて、２本の柱状部Ｔ２Ａ、Ｔ２Ａの一方で第１の電路形成部を構成している。
【００５９】
このような構成によれば、２本の柱状部Ｔ２Ａ、Ｔ２Ａのうちの他方は、電路を形成しないので、アークの移動には寄与しない。しかしながら、このようなアーチ形状により、第２の固定端子Ｔ２の機械的強度が向上するので、電路形成部となる側の柱状部Ｔ２Ａがアークによって消耗しても、第２の固定端子Ｔ２の全体的な強度が保たれるという利点がある。
【図面の簡単な説明】
【００６０】
【図１】（ａ）〜（ｃ）のそれぞれは、本発明の実施されたラッチ式リレーの概略断面図。
【図２】（ａ）、（ｂ）は、本発明によるラッチ式リレーの基本動作を説明する図。
【図３】は、アークの引き延ばし原理を説明する制御接点部分の概略断面図。
【図４】は、本発明の要部をなす第１の固定端子と第２の固定端子を示す図。
【図５】は、第１の固定端子の別形状を示す図。
【図６】は、第２の固定端子の別形状を示す図。
【図７】は、第２の固定端子の更に別形状を示す図。
【符号の説明】
【００６１】
２    継鉄
３    作動片
４    制御接点
６    通電コイル
８    板バネ
８Ａ  板バネの上端
９    磁石
３２  第２の自由端
３８  延出部
４１  固定接点
４２  可動接点
Ｒ    ラッチ式リレー
Ｔ１  第１の固定端子
Ｔ１Ａ  衝立状本体部
Ｔ２  第２の固定端子
Ｔ２Ａ  第１の電路形成部
Ｔ２Ｃ  アーム部、横架部
Ｔ２Ｄ  第２の電路形成部
Ａ、Ｂ    隙間
【図１】
2006196362.tif 000003
【図２】
2006196362.tif 000004
【図３】
2006196362.tif 000005
【図４】
2006196362.tif 000006
【図５】
2006196362.tif 000007
【図６】
2006196362.tif 000008
【図７】
2006196362.tif 000009